(57)【要約】【課題】賞味期限が印字されたラベルを店側が別途発行しなくても、店外飲食用の商品の賞味期限を客に確認させることができる発券機及び発券システムを提供する。【解決手段】商品を選択して購入する客による操作入力に基づいて券を発行する発券機において、発券機は、賞味期限を商品毎に記憶する記憶部と、賞味期限を券に印字可能である印字部と、客が商品を購入する際、購入する商品が店外飲食用の商品であるか否かを客が選択するための操作入力を受け付ける操作部と、購入する商品が店外飲食用の商品であることが選択された場合、選択された商品を示す識別情報に対応付けて、店外飲食用の商品の賞味期限が印字された券を印字部から発行させる制御部とを備える。【選択図】図２
2015082146.tif 000002
【特許請求の範囲】
【請求項１】
商品を選択して購入する客による操作入力に基づいて券を発行する発券機において、
賞味期限を商品毎に記憶する記憶部と、
前記賞味期限を券に印字可能である印字部と、
客が商品を購入する際、購入する商品が店外飲食用の商品であるか否かを客が選択するための操作入力を受け付ける操作部と、
購入する商品が店外飲食用の商品であることが選択された場合、選択された商品を示す識別情報に対応付けて、前記店外飲食用の商品の前記賞味期限が印字された券を前記印字部から発行させる制御部と、
を備えることを特徴とする発券機。
【請求項２】
前記制御部は、前記食券と、前記控え券と、を前記券として前記印字部から発行させる際、前記控え券の予め定められた領域に、前記賞味期限を印字させることを特徴とする請求項１に記載の発券機。
【請求項３】
前記記憶部は、前記商品の保存温度毎の賞味期限を記憶し、
前記制御部は、前記商品の保存温度毎の賞味期限を、前記控え券に印字させることを特徴とする請求項１又は請求項２に記載の発券機。
【請求項４】
前記印字部は、可変長で発行される前記控え券に、前記賞味期限を印字することを特徴とする請求項１から請求項３のいずれか一項に記載の発券機。
【請求項５】
商品を選択して購入する客による操作入力に基づいて券を発行する発券システムにおいて、
賞味期限を券に印字可能である印字部と、
客が商品を購入する際、購入する商品が店外飲食用の商品であるか否かを客が選択するための操作入力を受け付ける操作部と、
前記賞味期限を商品毎に記憶する記憶部と、
購入する商品が店外飲食用の商品であることが選択された場合、選択された商品を示す識別情報に対応付けて、前記店外飲食用の商品の前記賞味期限が印字された券を前記印字部から発行させる制御部と、
を備えることを特徴とする発券システム。
【発明の詳細な説明】
【技術分野】
【０００１】
本発明は、発券機及び発券システムに関する。
【背景技術】
【０００２】
ＰＯＳシステムから得られる付加情報を、家庭における食料品の賞味期限管理に利用することができるレシート発行装置が、特許文献１に開示されている。
【先行技術文献】
【特許文献】
【０００３】
【特許文献１】特開２００３−１９６７４４号公報
【発明の概要】
【発明が解決しようとする課題】
【０００４】
ところで、来店した客は、店に備えられている発券機を操作することにより、店外飲食用の商品（持ち帰り用の商品）を購入することがある。この場合、発券機は、客が購入した店外飲食用の商品の食券を発行する。さらに、店側は、その店外飲食用の商品の賞味期限が印字されたラベルを別途発行し、客が購入した店外飲食用の商品の包装に、そのラベルを貼り付ける。このように、店側は、店外飲食用の商品の賞味期限を客に確認させるためには、店外飲食用の商品の食券のほかに、その店外飲食用の商品の賞味期限が印字されたラベルを別途発行しなければならない、という問題がある。
【０００５】
本発明は、前記の点に鑑みてなされたものであり、賞味期限が印字されたラベルを店側が別途発行しなくても、店外飲食用の商品の賞味期限を客に確認させることができる発券機及び発券システムを提供することを目的とする。
【課題を解決するための手段】
【０００６】
本発明の一態様は、商品を選択して購入する客による操作入力に基づいて券を発行する発券機において、賞味期限を商品毎に記憶する記憶部と、前記賞味期限を券に印字可能である印字部と、客が商品を購入する際、購入する商品が店外飲食用の商品であるか否かを客が選択するための操作入力を受け付ける操作部と、購入する商品が店外飲食用の商品であることが選択された場合、選択された商品を示す識別情報に対応付けて、前記店外飲食用の商品の前記賞味期限が印字された券を前記印字部から発行させる制御部と、を備えることを特徴とする発券機である。
この構成により、制御部は、購入する商品が店外飲食用の商品であることが選択された場合、選択された商品を示す識別情報に対応付けて、店外飲食用の商品の賞味期限が印字された券を印字部から発行させる。これにより、発券機は、賞味期限が印字されたラベルを店側が別途発行しなくても、店外飲食用の商品の賞味期限を客に確認させることができる。
【０００７】
本発明の一態様は、前記制御部が、前記食券と、前記控え券と、を前記券として前記印字部から発行させる際、前記控え券の予め定められた領域に、前記賞味期限を印字させることを特徴とする発券機である。
これにより、発券機は、食券と控え券とを切り離して食券を店員に渡す運用であっても、店外飲食用の商品の賞味期限を客に確認させることができる。また、発券機は、控え券の表面（例えば、商品名が印字される面）又は裏面のいずれにでも、賞味期限を印字することができる。
【０００８】
本発明の一態様は、前記記憶部が、前記商品の保存温度毎の賞味期限を記憶し、前記制御部が、前記商品の保存温度毎の賞味期限を、前記控え券に印字させることを特徴とする発券機である。
これにより、発券機は、商品の保存温度毎の賞味期限を、控え券に印字することができる。
【０００９】
本発明の一態様は、前記印字部が、可変長で発行される前記控え券に、前記賞味期限を印字することを特徴とする発券機である。
これにより、発券機は、控え券に印字される情報量が多くなっても、賞味期限を控え券に印字することができる。
【００１０】
本発明の一態様は、商品を選択して購入する客による操作入力に基づいて券を発行する発券システムにおいて、賞味期限を券に印字可能である印字部と、客が商品を購入する際、購入する商品が店外飲食用の商品であるか否かを客が選択するための操作入力を受け付ける操作部と、前記賞味期限を商品毎に記憶する記憶部と、購入する商品が店外飲食用の商品であることが選択された場合、選択された商品を示す識別情報に対応付けて、前記店外飲食用の商品の前記賞味期限が印字された券を前記印字部から発行させる制御部と、を備えることを特徴とする発券システムである。
この構成により、制御部は、購入する商品が店外飲食用の商品であることが選択された場合、選択された商品を示す識別情報に対応付けて、店外飲食用の商品の賞味期限が印字された券を印字部から発行させる。これにより、発券システムは、賞味期限が印字されたラベルを店側が別途発行しなくても、店外飲食用の商品の賞味期限を客に確認させることができる。
【発明の効果】
【００１１】
本発明によれば、制御部は、購入する商品が店外飲食用の商品であることが選択された場合、選択された商品を示す識別情報に対応付けて、店外飲食用の商品の賞味期限が印字された券を印字部から発行させる。これにより、発券機及び発券システムは、賞味期限が印字されたラベルを店側が別途発行しなくても、店外飲食用の商品の賞味期限を客に確認させることができる。
【図面の簡単な説明】
【００１２】
【図１】本発明の第１実施形態における、発券機の外観例を示す図である。
【図２】本発明の第１実施形態における、発券機の構成例を示すブロック図である。
【図３】本発明の第１実施形態における、商品ファイルの例を表により示す図である。
【図４】本発明の第１実施形態における、原材料ファイルの例を表により示す図である。
【図５】本発明の第１実施形態における、操作キーの表示例を示す図である。
【図６】本発明の第１実施形態における、店外飲食券の第１例を示す図である。
【図７】本発明の第１実施形態における、店外飲食券の第２例を示す図である。
【図８】本発明の第１実施形態における、店外飲食券の第３例を示す図である。
【図９】本発明の第１実施形態における、店内飲食券の第１例を示す図である。
【図１０】本発明の第１実施形態における、発券機の動作手順の例を示すフローチャートである。
【図１１】本発明の第２実施形態における、商品ファイルの例を表により示す図である。
【図１２】本発明の第２実施形態における、操作キーの表示例を示す図である。
【図１３】本発明の第２実施形態における、店外飲食券の第４例を示す図である。
【図１４】本発明の第２実施形態における、店内飲食券の第２例を示す図である。
【発明を実施するための形態】
【００１３】
［第１実施形態］
本発明の第１実施形態について図面を参照して詳細に説明する。図１には、発券機の外観例が示されている。発券機１００は、店に備えられる。来店した客は、店に備えられている発券機１００を操作することにより、商品を購入する。発券機１００は、客が購入した商品に応じた券を、その客に対して発行する。この発行された券には、客が購入した商品の商品名、商品の購入金額（販売金額）及び個数などが印字されてもよい。
【００１４】
以下、発券機１００は、一例として、飲食店に備えられるものとする。また、客が購入した商品に応じた券は、一例として、食券であるものとして説明を続ける。客が購入する商品は、店内飲食用の商品でもよいし、店外飲食用の商品（持ち帰り用の商品）でもよい。発券機１００は、硬貨投入口１０５と、紙幣投入口１０６と、払出口１０９と、読取部１１０と、操作表示部１１１とを、予め定められた正面に備える。
【００１５】
図２には、発券機の構成例がブロック図により示されている。店には、複数の発券機１００が備えられてもよい。サーバ装置２００は、発券機１００に対する上位装置である。サーバ装置２００は、発券機１００から受信した信号などに基づいて、発券機１００と同様の処理を実行してもよい。
【００１６】
発券機１００は、通信回線３００を介して、サーバ装置２００と通信する。発券機１００は、ＣＰＵ１０１と、ＲＡＭ１０２と、記憶部１０３と、通信部１０４と、硬貨投入口１０５と、紙幣投入口１０６と、貨幣識別部１０７と、貨幣払出部１０８と、払出口１０９と、読取部１１０と、印字部１１２と、操作表示部１１１とを備える。
【００１７】
ＲＡＭ１０２は、ＣＰＵ１０１を動作させるためのプログラムを記憶する。ＲＡＭ１０２は、各種データを記憶してもよい。この各種データは、例えば、ＣＰＵ１０１の動作により生成されたパラメータデータである。
【００１８】
記憶部１０３は、商品ファイルと、原材料ファイルとを記憶する。各ファイルは、結合されずに記憶されてもよいし、結合されて一つのファイルとして記憶されてもよい。記憶部１０３は、商品ファイルを記憶することにより、賞味期限を商品毎に記憶することになる。各項目が初期値に定められた各ファイルは、サーバ装置２００（上位装置）から発券機１００に送信されてもよい。
【００１９】
図３には、商品ファイルの例が表により示されている。商品ファイルは、販売対象の商品が登録されるファイルである。商品ファイルの項目には、品番と、商品名と、値段と、賞味期限と、原材料番号と、産地名と、保存温度と、店用印字フォーマット番号と、控用印字フォーマット番号とがある。品番（商品番号）は、選択された商品を識別するための番号（識別情報）である。なお、識別情報は、商品名でよいし、予め定められた略語でもよい。商品名は、商品の名称である。値段は、商品の値段（販売価格）である。賞味期限は、商品の品質の保持が可能であると認められる期限である。ここで、賞味期限は、消費期限又は使用期限でもよい。また、賞味期限は、保存温度毎に定められていてもよい。また、賞味期限は、季節毎に定められていてもよい。
【００２０】
原材料番号は、商品に含まれる原材料を識別するための番号である。産地名は、商品に含まれる原材料の産地名である。保存温度は、商品を保存する際の環境温度である。店用印字フォーマット番号は、店員に渡される食券に情報を印字するためのフォーマットの識別番号である。控用印字フォーマット番号は、控え券に情報を印字するためのフォーマットの識別番号である。
【００２１】
図３では、品番「０００１」と、商品名「カレーライス」と、値段（円）「５００」と、賞味期限「９月３０日午後１０時」と、原材料番号「０１００」と、産地名「Ｃ」と、保存温度「１５」と、店用印字フォーマット番号「１００１」と、控用印字フォーマット番号「１０１１」とが対応付けられている。また、品番「０００２」と、商品名「ハンバーグ」と、値段（円）「５５０」と、賞味期限「９月３０日午後１０時」と、原材料番号「０１０１」と、産地名「Ｄ」と、保存温度「１５」と、店用印字フォーマット番号「１００２」と、控用印字フォーマット番号「１０１２」とが対応付けられている。
【００２２】
図４には、原材料ファイルの例が表により示されている。原材料ファイルは、販売対象の商品に含まれる原材料名が登録されるファイルである。原材料ファイルは、原材料に含まれるアレルギー物質名が登録されるファイルでもよい。原材料ファイルの項目には、原材料番号と、主材料名と、副材料名とがある。原材料ファイルの項目「原材料番号」は、商品ファイル（図３を参照）の項目「原材料番号」を示す。主材料名は、主な原材料の名称である。副材料名は、主な原材料以外の原材料の名称である。図４では、原材料番号「０１００」と、主材料名「Ｅ」と、副材料名「Ｆ」とが対応付けられている。また、原材料番号「０１０１」と、主材料名「Ｇ」と、副材料名「Ｈ」とが対応付けられている。
【００２３】
図２に戻り、発券機の構成例の説明を続ける。ＣＰＵ１０１（Ｃｅｎｔｒａｌ Ｐｒｏｃｅｓｓｉｎｇ Ｕｎｉｔ）は、ＲＡＭ１０２（Ｒａｎｄｏｍ Ａｃｃｅｓｓ Ｍｅｍｏｒｙ）に記憶されたプログラムに基づいて、発券機１００の各部を制御する。
【００２４】
ＣＰＵ１０１は、購入する商品が店外飲食用の商品であることが選択された場合、店外飲食用の商品の食券と、店外飲食用の商品の賞味期限が印字された控え券と、を印字部１１２から発行させる。ＣＰＵ１０１は、食券と控え券とに切り離し可能な券を、印字部１１２から発行させてもよい。ＣＰＵ１０１は、印字部１１２を制御することにより、控え券の予め定められた面（例えば、商品名が印字される面）に賞味期限を印字させてもよい。ＣＰＵ１０１は、印字部１１２を制御することにより、商品の保存温度毎の賞味期限を、控え券に印字させてもよい。ＣＰＵ１０１は、印字部１１２を制御することにより、商品の保存温度毎の賞味期限を、控え券に印字させてもよい。
【００２５】
ＣＰＵ１０１は、硬貨投入口１０５が受け付けた硬貨が示す金額と、紙幣投入口１０６が受け付けた紙幣が示す金額と、販売した単品商品及びセット商品の値段の合計（販売金額）とに基づいて、払出額（釣銭額）を算出する。
【００２６】
通信部１０４は、通信回線３００を介して、サーバ装置２００と通信する。通信部１０４は、ＣＰＵ１０１による制御に基づいて、商品ファイルと、原材料ファイルとを、サーバ装置２００（上位装置）に送信してもよい。また、通信部１０４は、商品ファイルと、原材料ファイルとを、サーバ装置２００から受信してもよい。この場合、通信部１０４は、商品ファイルと、原材料ファイルとを、記憶部１０３に記憶させる。
【００２７】
硬貨投入口１０５は、硬貨を受け付ける投入口である。硬貨投入口１０５は、受け付けた硬貨の形状、模様、色彩、材質及び重量を示す信号を、一枚毎に貨幣識別部１０７に出力する。
紙幣投入口１０６は、紙幣を受け付ける投入口である。紙幣投入口１０６は、受け付けた紙幣の形状、模様、色彩及び材質を示す信号を、一枚毎に貨幣識別部１０７に出力する。
【００２８】
貨幣識別部１０７には、受け付けた硬貨の形状、模様、色彩、材質及び重量を示す信号が、硬貨投入口１０５から入力される。貨幣識別部１０７は、受け付けた硬貨の形状、模様、色彩、材質及び重量を示す信号に基づいて、硬貨が示す金額を示す信号を、一枚毎にＣＰＵ１０１に出力する。
【００２９】
また、貨幣識別部１０７には、受け付けた紙幣の形状、模様、色彩及び材質を示す信号が、紙幣投入口１０６から入力される。貨幣識別部１０７は、受け付けた紙幣の形状、模様、色彩及び材質を示す信号に基づいて、紙幣が示す金額を示す信号を、一枚毎にＣＰＵ１０１に出力する。
【００３０】
貨幣払出部１０８は、ＣＰＵ１０１により算出された払出額（釣銭額）が正値である場合、発券機１００に予め用意されている紙幣及び貨幣を、払出額と同額となるように用意する。
払出口１０９は、払出額と同額となるように用意された紙幣及び貨幣を払い出す。払出口１０９は、ＣＰＵ１０１による制御に基づいて、食券と控え券とを出力する。
【００３１】
読取部１１０は、クーポン券からクーポン情報を読み取る部位である。クーポン券は、特定のサービス（例えば、割引サービス）を客に利用してもらうための券である。クーポン券は、例えば、紙媒体などによるクーポン券として客に直接配布されてもよいし、店が運用するサーバ装置２００から、客が所有する端末（不図示）に対して、クーポン券のデータが送信されることにより配布されてもよい。読取部１１０は、クーポン情報を、ＣＰＵ１０１に転送する。
【００３２】
印字部１１２は、ＣＰＵ１０１による制御に基づいて、客が購入した商品の名称及び賞味期限等を券（例えば、紙媒体）に印字する。より具体的には、印字部１１２は、商品の名称等を、食券に印字する。また、印字部１１２は、商品の賞味期限等を、控え券に印字する。印字部１１２は、商品の名称等が印字された食券と、商品の賞味期限が印字された控え券とを、払出口１０９に出力する。印字部１１２は、ＣＰＵ１０１による制御に基づいて、可変長に券を切断し、可変長で発行される控え券に、賞味期限を印字してもよい。食券及び控え券についての詳細は、図６〜図９を用いて後述する。
【００３３】
操作表示部１１１は、ＣＰＵ１０１による制御に基づいて、商品に対応付けられた操作キーを表示する。操作表示部１１１は、操作キーを介した操作入力を受け付け、操作入力に応じた信号をＣＰＵ１０１に出力する。操作表示部１１１は、客が商品を購入する際、購入する商品が店外飲食用の商品であるか否かを客が選択するための操作入力を受け付ける。操作表示部１１１は、操作キーが表示された画面への接触を検出するタッチパネルを有していてもよい。
【００３４】
図５には、操作キーの表示例が示されている。図５では、操作表示部１１１は、商品に対応付けられた操作キーとして、カレーライス・操作キー４００と、ハンバーグ・操作キー４０１とを表示する。カレーライス・操作キー４００は、客がカレーライスを購入するための操作キーである。操作表示部１１１は、カレーライス・操作キー４００が客により押下操作された場合、カレーライス・操作キー４００を介した操作入力を示す信号を、ＣＰＵ１０１に出力する。ハンバーグ・操作キー４０１は、客がハンバーグを購入するための操作キーである。操作表示部１１１は、ハンバーグ・操作キー４０１が客により押下操作された場合、ハンバーグ・操作キー４０１を介した操作入力を示す信号を、ＣＰＵ１０１に出力する。
【００３５】
また、操作表示部１１１は、持ち帰り用・操作キー５１０と、会計キー６００とを表示する。持ち帰り用・操作キー５１０は、購入する商品が店外飲食用の商品（持ち帰り用の商品）であるか否かを客が選択するための操作キーである。操作表示部１１１は、持ち帰り用・操作キー５１０が客により押下操作された場合、持ち帰り用・操作キー５１０を介した操作入力を示す信号を、ＣＰＵ１０１に出力する。会計キー６００は、購入した商品の会計処理を完了させるための操作キーである。操作表示部１１１は、会計キー６００が客により押下操作された場合、会計キー６００を介した操作入力を示す信号を、ＣＰＵ１０１に出力する。
【００３６】
図６には、店外飲食券の第１例が示されている。より具体的には、図６には、カレーライス・操作キー４００と、持ち帰り用・操作キー５１０と、会計キー６００とが押下操作されたことにより（図５を参照）、商品名「カレーライス」（図３を参照）が購入された場合の店外飲食券の例が示されている。店外飲食券（紙媒体）は、設けられたミシン目（図６では、破線で示されている）により、食券（店用の領域）と控え券（客用の領域）とに切り離しが可能である。
【００３７】
食券には、かっこ記号及び文字「（店）」と印字されている。また、食券には、購入された商品の商品名「カレーライス」と、値段「￥５００」とが、店用印字フォーマット「１００１」に基づいて印字されている。食券は、店員に渡されてもよい。一方、控え券には、かっこ記号及び文字「（控）」と印字されている。また、控え券には、購入された商品の商品名「カレーライス」と、値段「￥５００」と、賞味期限「９月３０日午後１０時」とが、控用印字フォーマット「１０１１」に基づいて印字されている。ここで、賞味期限は、店外飲食券が発行された時刻に、商品ファイルの項目「賞味期限」に示された時間が加算された時刻である。控え券には、購入された商品の原材料「Ｅ」「Ｆ」とが、控用印字フォーマット「１０１１」に基づいて印字されてもよい。控え券は、客が持ち帰ることが可能である。
【００３８】
図７には、店外飲食券の第２例が示されている。図７では、図６に示す店外飲食券との相違点についてのみ説明する。控え券には、購入された商品の商品名「カレーライス」と、値段「￥５００」と、賞味期限「摂氏１５度：９月３０日午後１０時」「摂氏５度：１０月１日午前８時」とが、控用印字フォーマット「１０１１」に基づいて印字されている。このように、商品ファイルの項目「賞味期限」が保存温度毎に定められている場合には、賞味期限が保存温度毎に印字される。
【００３９】
図８には、店外飲食券の第３例が示されている。図８では、図６に示す店外飲食券との相違点についてのみ説明する。図８（Ａ）には、食券が示されている。図８（Ｂ）には、控え券が示されている。図８に示す店外飲食券は、食券と控え券とが予め切り離されて発行されている。
【００４０】
図９には、店内飲食券の第１例が示されている。より具体的には、図９には、カレーライス・操作キー４００と、会計キー６００とが押下操作されたことにより（図５を参照）、商品名「カレーライス」（図３を参照）が購入された場合の店内飲食券の例が示されている。店内飲食券（紙媒体）は、設けられたミシン目（図９では、破線で示されている）により、食券と控え券とに切り離しが可能である。
【００４１】
食券には、かっこ記号及び文字「（店）」と印字されている。また、食券には、購入された商品の商品名「カレーライス」と、値段「￥５００」とが、店用印字フォーマット「１００１」に基づいて印字されている。食券は、店員に渡されてもよい。一方、控え券には、かっこ記号及び文字「（控）」と印字されている。また、控え券には、購入された商品の商品名「カレーライス」と、値段「￥５００」とが、控用印字フォーマット「１０１１」に基づいて印字されている。つまり、店内飲食券には、賞味期限は印字されなくてもよい。また、控え券には、購入された商品の原材料「Ｅ」「Ｆ」とが、控用印字フォーマット「１０１１」に基づいて印字されてもよい。控え券は、客が持ち帰ることが可能である。
【００４２】
図１０は、発券機の動作手順の例を示すフローチャートである。このフローチャートに示された動作手順は、会計キー６００（図５を参照）が押下操作される毎に、繰り返し実行されてもよい。
（ステップＳ１）ＣＰＵ１０１は、操作入力信号を操作表示部１１１から取得する。
（ステップＳ２）ＣＰＵ１０１は、客が購入する商品が店外飲食用の商品であるか否かを、操作入力信号に基づいて判定する。客が購入する商品が店外飲食用の商品である場合（ステップＳ２：Ｙｅｓ）、ＣＰＵ１０１は、ステップＳ３に処理を進める。一方、客が購入する商品が店外飲食用の商品でない場合（ステップＳ２：Ｎｏ）、ＣＰＵ１０１は、ステップＳ４に処理を進める。
【００４３】
（ステップＳ３）ＣＰＵ１０１は、印字部１１２を制御し、控用印字フォーマットに基づいて、賞味期限を控え券に印字させる。
（ステップＳ４）ＣＰＵ１０１は、印字部１１２を制御し、控用印字フォーマットに基づいて、予め定められた項目（例えば、商品ファイルの項目から選択された項目）を控え券に印字させる。
【００４４】
（ステップＳ５）ＣＰＵ１０１は、印字部１１２を制御し、店用印字フォーマットに基づいて、商品名及び値段を食券に印字させる。
（ステップＳ６）ＣＰＵ１０１は、印字部１１２を制御し、食券と控え券とを発行させる。
【００４５】
以上のように、商品を選択して購入する客による操作入力に基づいて券を発行する発券機において、発券機１００は、賞味期限を商品毎に記憶する記憶部１０３と、賞味期限を券に印字可能である印字部１１２と、客が商品を購入する際、購入する商品が店外飲食用の商品であるか否かを客が選択するための操作入力を受け付ける操作表示部１１１（操作部）と、購入する商品が店外飲食用の商品であることが選択された場合、選択された商品を示す識別情報に対応付けて、店外飲食用の商品の賞味期限が印字された券を印字部１１２から発行させるＣＰＵ１０１（制御部）とを備える。
【００４６】
商品を選択して購入する客による操作入力に基づいて券を発行する発券システムにおいて、発券システムは、賞味期限を券に印字可能である印字部１１２と、客が商品を購入する際、購入する商品が店外飲食用の商品であるか否かを客が選択するための操作入力を受け付ける操作表示部１１１（操作部）と、賞味期限を商品毎に記憶する記憶部１０３と、購入する商品が店外飲食用の商品であることが選択された場合、選択された商品を示す識別情報に対応付けて、店外飲食用の商品の賞味期限が印字された券を印字部から発行させるＣＰＵ１０１（制御部）とを備える。
発券システムは、印字部１１２、操作表示部１１１（操作部）、記憶部１０３及びＣＰＵ１０１（制御部）のそれぞれを、サーバ装置２００（上位装置）又は発券機１００のいずれに備えてもよい。
【００４７】
この構成により、ＣＰＵ１０１（制御部）は、購入する商品が店外飲食用の商品であることが選択された場合、選択された商品を示す識別情報に対応付けて、店外飲食用の商品の賞味期限が印字された券を印字部１１２から発行させる。これにより、発券機１００及び発券システムは、賞味期限が印字されたラベルを店側が別途発行しなくても、店外飲食用の商品の賞味期限を客に確認させることができる。
【００４８】
ＣＰＵ１０１（制御部）は、食券と控え券とを券として印字部１１２から発行させる際、控え券の予め定められた領域（印字領域）に、賞味期限を印字させてもよい。ここで、券は、例えば、食券と控え券とが予め分離された二枚の券として発行されてもよい。また、券は、例えば、食券と控え券とを分離可能とする切り取り線が施された一枚の券として発行されてもよい。
なお、食券は、控え券を兼ねてもよい。すなわち、一枚の券が発行され、その一枚の券が、調理指示等が記載された食券として、店員に渡されてもよい。調理後、その一枚の券は、客が持ち帰ることができる控え券として、調理された商品と共に客に渡されてもよい。
【００４９】
また、発行される券の裏面は粘着部が設けられていない単なる用紙であってもよいが、券の裏面に粘着部が設けられており、その粘着部をシール部が覆うような構成の券であってもよい。特に、券が一枚で、食券と、控え券とを兼ねている場合、食券として機能する場合には、裏面のシールは剥がさずに使用し、控え券として使用する場合にはシールを剥がし、該券を商品に貼付するようにしてもよい。
【００５０】
記憶部１０３は、商品の保存温度毎の賞味期限を記憶してもよい。ＣＰＵ１０１（制御部）は、商品の保存温度毎の賞味期限を、控え券に印字させてもよい。
印字部１１２は、可変長で発行される控え券に、賞味期限を印字してもよい。
【００５１】
［第２実施形態］
第２実施形態では、店外飲食用の商品と、店内飲食用の商品とで異なる品番が割り当てられている点が、第１実施形態と相違する。以下では、第１実施形態との相違点についてのみ説明する。
【００５２】
図１１には、商品ファイルの例が表により示されている。商品ファイルの項目には、品番と、商品名と、値段と、賞味期限と、原材料番号と、産地名と、保存温度と、印字フォーマット番号とがある。印字フォーマット番号は、食券及び控え券に情報をそれぞれ印字するためのフォーマットを識別するための番号である。つまり、店外飲食用の商品と、店内飲食用の商品とで異なる品番が、割り当てられている。
【００５３】
図１１では、品番「００１０」と、商品名「カレーライス」と、値段（円）「５００」と、賞味期限「−（定めず）」と、原材料番号「０１００」と、産地名「Ｃ」と、保存温度「１５」と、印字フォーマット番号「１００３」とが対応付けられている。また、品番「００１１」と、商品名「持ち帰り用カレーライス」と、値段（円）「５００」と、賞味期限「９月３０日午後１０時」と、原材料番号「０１００」と、産地名「Ｃ」と、保存温度「１５」と、印字フォーマット番号「１０１３」とが対応付けられている。
【００５４】
品番「００２０」と、商品名「ハンバーグ」と、値段（円）「５５０」と、賞味期限「−（定めず）」と、原材料番号「０１０１」と、産地名「Ｄ」と、保存温度「１５」と、印字フォーマット番号「１００４」とが対応付けられている。また、品番「００２１」と、商品名「持ち帰り用ハンバーグ」と、値段（円）「５５０」と、賞味期限「９月３０日午後１０時」と、原材料番号「０１０１」と、産地名「Ｄ」と、保存温度「１５」と、印字フォーマット番号「１０１４」とが対応付けられている。
【００５５】
図１２には、操作キーの表示例が示されている。図１２では、操作表示部１１１は、商品に対応付けられた操作キーとして、カレーライス・操作キー４００と、ハンバーグ・操作キー４０１と、持ち帰り用カレーライス・操作キー４０２と、持ち帰り用ハンバーグ・操作キー４０３とを表示する。つまり、図１２では、図５に示す操作キーの表示例と異なり、持ち帰り用・操作キー５１０が表示されない代わりに、持ち帰り用カレーライス・操作キー４０２と、持ち帰り用ハンバーグ・操作キー４０３とが表示されている。
【００５６】
持ち帰り用カレーライス・操作キー４０２は、客が持ち帰り用カレーライスを購入するための操作キーである。操作表示部１１１は、持ち帰り用カレーライス・操作キー４０２が客により押下操作された場合、持ち帰り用カレーライス・操作キー４０２を介した操作入力を示す信号を、ＣＰＵ１０１に出力する。持ち帰り用ハンバーグ・操作キー４０３は、客が持ち帰り用ハンバーグを購入するための操作キーである。操作表示部１１１は、持ち帰り用ハンバーグ・操作キー４０３が客により押下操作された場合、持ち帰り用ハンバーグ・操作キー４０３を介した操作入力を示す信号を、ＣＰＵ１０１に出力する。
【００５７】
図１３には、店外飲食券の第４例が示されている。食券には、購入された商品の商品名「持ち帰り用カレーライス」と、値段「￥５００」とが、印字フォーマット「１０１３」に基づいて印字されている。一方、控え券には、購入された商品の商品名「持ち帰り用カレーライス」と、値段「￥５００」と、賞味期限「９月３０日午後１０時」とが、印字フォーマット「１０１３」に基づいて印字されている。控え券には、購入された商品の原材料「Ｅ」「Ｆ」とが、印字フォーマット「１０１３」に基づいて印字されてもよい。つまり、ＣＰＵ１０１は、印字部１１２を制御し、印字フォーマット「１０１３」に基づいて食券及び控え券の両方を印字させる。
【００５８】
図１４には、店内飲食券の第２例が示されている。より具体的には、図１４には、カレーライス・操作キー４００と、会計キー６００とが押下操作されたことにより（図１２を参照）、商品名「カレーライス」（図３を参照）が購入された場合の店内飲食券の例が示されている。
【００５９】
食券には、かっこ記号及び文字「（店）」と印字されている。また、食券には、購入された商品の商品名「カレーライス」と、値段「￥５００」とが、印字フォーマット「１００３」に基づいて印字されている。食券は、店員に渡されてもよい。一方、控え券には、かっこ記号及び文字「（控）」と印字されている。また、控え券には、購入された商品の商品名「カレーライス」と、値段「￥５００」とが、印字フォーマット「１００３」に基づいて印字されている。控え券には、購入された商品の原材料「Ｅ」「Ｆ」とが、印字フォーマット「１００３」に基づいて印字されてもよい。つまり、ＣＰＵ１０１は、印字部１１２を制御し、印字フォーマット「１００３」に基づいて食券及び控え券の両方を印字させる。また、図１４に示す店内飲食券（紙媒体）は、図９に示す店内飲食券と比較して、印字される情報量に応じて短く切断されている。
【００６０】
以上、この発明の実施形態について図面を参照して詳述してきたが、具体的な構成はこの実施形態に限られるものではなく、この発明の要旨を逸脱しない範囲の設計等も含まれる。
【００６１】
例えば、印字部１１２は、姿勢を９０度回転させた文字（横に倒した文字）で、賞味期限等を券に印字してもよい。また、例えば、印字部１１２は、縦書きで賞味期限等を券に印字してもよい。
【００６２】
なお、上記に説明した発券機を実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【００６３】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【００６５】
１００…発券機、１０１…ＣＰＵ、１０２…ＲＡＭ、１０３…記憶部、１０４…通信部、１０５…硬貨投入口、１０６…紙幣投入口、１０７…貨幣識別部、１０８…貨幣払出部、１０９…払出口、１１０…読取部、１１１…操作表示部、１１２…印字部、２００…サーバ装置、３００…通信回線、４００…カレーライス・操作キー、４０１…ハンバーグ・操作キー、４０２…持ち帰り用カレーライス・操作キー、４０３…持ち帰り用ハンバーグ・操作キー、５１０…持ち帰り用・操作キー、６００…会計キー
【図１】
2015082146.tif 000003
【図２】
2015082146.tif 000004
【図３】
2015082146.tif 000005
【図４】
2015082146.tif 000006
【図５】
2015082146.tif 000007
【図６】
2015082146.tif 000008
【図７】
2015082146.tif 000009
【図８】
2015082146.tif 000010
【図９】
2015082146.tif 000011
【図１０】
2015082146.tif 000012
【図１１】
2015082146.tif 000013
【図１２】
2015082146.tif 000014
【図１３】
2015082146.tif 000015
【図１４】
2015082146.tif 000016